(57)【特許請求の範囲】
【請求項１】
リング状をなす補強シールを、当該補強シールの穴部をシート体に設けたパンチ穴に連通させた状態で、当該シート体に貼り込む装置であって、
ベースと、アームと、カセットとを備えており、
このベースに対し前記アームは、当該ベースの後端側に配された回動軸に当該アームの後端側を回動可能に組み付けて、組み付け合わされており、
前記ベースに対し前記カセットは、当該カセットの後端側に設けられた軸受凹部を前記回動軸又は当該ベースの後端側に設けられたカセット用回動軸に取り外し可能にはめ付けて、当該ベースと前記アームとの間に装填される構成とされており、
前記ベースは、当該ベースの前端側の上部に前記パンチ穴に入れ込まれるガイド突部を備えており、
前記アームは、当該アームの前端側の下部に当該アームの押し込み操作に伴って前記ガイド突部が入り込む押圧筒部を備えており、
前記カセットは、
一面に前記補強シールを等間隔に貼着していると共に、この補強シールの穴部に連通する透孔を有した剥離テープを巻回させてなるテープロールを回転可能に保持する保持部と、
この保持部に保持されたテープロールから引き出された前記剥離テープを案内する上面案内部と、
この上面案内部を案内される前記剥離テープを、当該カセットの前端側で屈曲させて下方に導く突出案内部と、
この突出案内部の下方に導かれた前記剥離テープの前記透孔に入り込む複数の突出部を前記剥離テープの隣り合う透孔間の間隔に対応したピッチで外周部に備えると共に、一側面側にラチェットギアを備えた送りローラーと、
前記突出案内部による前記剥離テープの屈曲によって当該剥離テープから剥がれ出す前記補強シールを前記ベースの前端部の直上に保持すると共に、前記アームの押し込み操作に伴って前記保持された当該補強シールを当該補強シールの穴部に前記ガイド突部を入り込ませた状態で当該アームの押圧筒部によって下方に抜け出させる保持枠とを備えており、
前記ベースには、前記カセットの装填に伴って前記送りローラーのラチェットギアに掛合されると共に、前記アームの押し込み操作に伴って、当該送りローラーを一ピッチ分づつ回転させるラチェットレバーが備えられており、
しかも、前記保持枠が、当該保持枠の前端内面を前記突出案内部から離れ出させる向きに離隔移動可能に備えられたスライド体に形成してあると共に、このスライド体の下部に当該スライド体を当該離隔移動させた状態で当該突出案内部の前方を通して下方に引き出された前記剥離テープを当該スライド体の復動操作によって前記送りローラーの外周部に押し付けさせるテンションバーが備えられていることを特徴とする補強シールの貼り付け装置。
【請求項２】
ベースの後端側であって当該ベースの下部に、補強シールが剥がされた状態で送りローラーによって送り出されてくる剥離テープの引き出しスリットが形成してあると共に、このスリットからの当該剥離テープの引き出し部分を切断させる切断手段が備えられていることを特徴とする請求項１記載の補強シールの貼り付け装置。
【発明の詳細な説明】
【０００１】
【発明の属する技術分野】
この発明は、紙などのシート体に設けられる当該シート体の綴り込み用のパンチ穴を補強するリング状をなす補強シールを、当該補強シールの穴部を前記パンチ穴に連通させた状態で、当該シート体に貼り込ませる貼り付け装置の改良に関する。
【０００２】
【従来の技術】
パッチなどとも称される紙などのシート体に設けられる綴り込み用のパンチ穴（綴り穴）を補強するリング状をなす補強シール（補強片）を、当該補強シールの穴部を前記パンチ穴に連通させた状態で当該シート体に貼り込ませる装置として、公開特許公報所載の特開昭６３−２７４５９６に係る綴り穴補強片貼着器がある。
【０００３】
かかる従来の貼着器は、前記パンチ穴に入れ込まれるガイド突部（位置決め用の突起）を備えたベースと、テープカセットから供給されて当該ガイド突部の直上に保持される補強シールをこのガイド突部に嵌合させた状態で押し出す押圧筒部（押圧子）を備えたアームとを備えている。そして、かかる貼着器は、かかるガイド突部を前記パンチ穴に入れ込ませた後、かかるアームを押し込み操作することにより、当該ガイド突部を案内として前記補強シールを押し出させ、これにより、かかる補強シールを前記パンチ穴の穴縁部に貼り付けさせるものであった。
【０００４】
かかる従来の貼着器にあっては、前記補強シールが、かかる貼着器を構成するハンドルの押し込み操作に伴って、このハンドルとベースとの間に介装されたフレームに装填されたテープカセットに内蔵されたテープロールから一枚づつ供給されるようにしてある。
【０００５】
具体的には、かかるテープロールは、長さ方向に一定間隔を開けて前記補強シールが貼り付けられている剥離テープを巻回させて構成されている。そして、前記ハンドルの押し込み操作に伴って、前記テープカセットに内蔵されたかかるテープロールから一ピッチ分づつ剥離テープが引き出されると共に、かかるテープカセットの嘴部によってこのように引き出された剥離テープを折り曲げ反転させて前記補強シールを剥がし出させ、このように剥がし出された当該補強シールを前記アームが次に押し込み操作されるまでの間、前記フレームによって前記ベースのガイド突部の直上に保持させるようにしている。
【０００６】
【発明が解決しようとする課題】
しかるに、かかる従来の貼着器にあっては、前記テープロールが前記テープカセットに内蔵されているにすぎず、かかるテープロールより剥離テープが全て引き出された場合に当該テープカセットに新規のテープロールを装填し直すことについての格別の配慮がなされていない。
【０００７】
また、かかるテープカセットを装填するために、前記フレームを必然的に必要とするものであった。
【０００８】
そこで、この発明は、この種の貼り付け装置において、補強シールの貼着された剥離テープを巻回させて構成されるテープロールの交換ないし再装填を、容易かつ適切になせるようにすることを主たる目的とする。
【０００９】
【課題を解決するための手段】
前記目的を達成するために、請求項１記載の発明にあっては、補強シールの貼り付け装置が、以下の（１）〜（９）の構成を備えたものとした。
（１）リング状をなす補強シールを、当該補強シールの穴部をシート体に設けたパンチ穴に連通させた状態で、当該シート体に貼り込む装置であって、
（２）ベースと、アームと、カセットとを備えており、
（３）このベースに対し前記アームは、当該ベースの後端側に配された回動軸に当該アームの後端側を回動可能に組み付けて、組み付け合わされており、
（４）前記ベースに対し前記カセットは、当該カセットの後端側に設けられた軸受凹部を前記回動軸又は当該ベースの後端側に設けられたカセット用回動軸に取り外し可能にはめ付けて、当該ベースと前記アームとの間に装填される構成とされており、
（５）前記ベースは、当該ベースの前端側の上部に前記パンチ穴に入れ込まれるガイド突部を備えており、
（６）前記アームは、当該アームの前端側の下部に当該アームの押し込み操作に伴って前記ガイド突部が入り込む押圧筒部を備えており、
（７）前記カセットは、
（７ａ）一面に前記補強シールを等間隔に貼着していると共に、この補強シールの穴部に連通する透孔を有した剥離テープを巻回させてなるテープロールを回転可能に保持する保持部と、
（７ｂ）この保持部に保持されたテープロールから引き出された前記剥離テープを案内する上面案内部と、
（７ｃ）この上面案内部を案内される前記剥離テープを、当該カセットの前端側で屈曲させて下方に導く突出案内部と、
（７ｄ）この突出案内部の下方に導かれた前記剥離テープの前記透孔に入り込む複数の突出部を前記剥離テープの隣り合う透孔間の間隔に対応したピッチで外周部に備えると共に、一側面側にラチェットギアを備えた送りローラーと、
（７ｅ）前記突出案内部による前記剥離テープの屈曲によって当該剥離テープから剥がれ出す前記補強シールを前記ベースの前端部の直上に保持すると共に、前記アームの押し込み操作に伴って前記保持された当該補強シールを当該補強シールの穴部に前記ガイド突部を入り込ませた状態で当該アームの押圧筒部によって下方に抜け出させる保持枠とを備えており、
（８）前記ベースには、前記カセットの装填に伴って前記送りローラーのラチェットギアに掛合されると共に、前記アームの押し込み操作に伴って、当該送りローラーを一ピッチ分づつ回転させるラチェットレバーが備えられており、
（９）しかも、前記保持枠が、当該保持枠の前端内面を前記突出案内部から離れ出させる向きに離隔移動可能に備えられたスライド体に形成してあると共に、このスライド体の下部に当該スライド体を当該離隔移動させた状態で当該突出案内部の前方を通して下方に引き出された前記剥離テープを当該スライド体の復動操作によって前記送りローラーの外周部に押し付けさせるテンションバーが備えられている。
【００１０】
かかる構成によれば、
（１）先ず、前記カセットの軸凹部から前記回動軸又は当該ベースの後端側に設けられたカセット用回動軸を抜き出させて、前記ベースと前記アームとの間から当該カセットを容易に取り外すことができる。
（２）次いで、このように取り外された前記カセットの保持部にテープロールを装填した後、このように装填されたテープロールから引き出されて、当該カセットの上面案内部を通じ当該カセットの前端側に導かれると共に、前記屈曲案内部によって屈曲されて下方に導かれた剥離テープを、前記スライド体を前記離隔移動させることにより当該スライド体に設けられた前記テンションバーと前記送りローラーとの間の間隔を広げて両者の間に容易に通すことができ、この後、当該スライド体を復動操作することにより、このように通された剥離テープを当該テンションバーによって当該送りローラーの外周部に対し、当該送りローラーの回転によって当該剥離テープの透孔に順次に当該送りローラーの外周部に設けた突出部が入り込むように、押し付けさせることができる。
（３）そして、このようにテープロールを装填させたカセットの軸凹部に再び前記回動軸又は当該ベースの後端側に設けられたカセット用回動軸を入れ込ませて当該カセットを前記ベースとアームとの間に装填させ直すことにより、当該カセットの送りローラーに備えられたラチェットギアに前記ベースのラチェットレバーを掛合させて、前記アームの押し込み操作に伴って前記送りローラーが再び一ピッチ分づつ回転される状態を作り出すことができる。
【００１１】
この後、前記シート体に設けたパンチ穴に前記ベースのガイド突部を入れ込んで前記アームを押し込み操作することより、
（１）このアームの押し込み操作に伴って前記カセットを下方に回動させることができると共に、前記ラチェットギアによって前記送りローラーを一ピッチ分回動させることができる。
（２）そして、この送りローラーの回動によって、前記テープロールから一ピッチ分の剥離シートを引き出すことができると共に、前記上面案内部に案内されている剥離シートにおける最も先順位の補強シールが貼り込まれている箇所を前記突出案内部に移動させて当該突出案内部により屈曲させることができ、この屈曲によって当該補強シールを当該剥離シートから剥がし出させて前記保持枠内に入り込ませることができる。
（３）そして、この後さらに前記アームを押し込み操作させて前記回動軸又は当該ベースの後端側に設けられたカセット用回動軸を中心として前記カセットをさらに下方に回動させることにより、前記剥離テープから剥がし出されて前記保持枠内に保持された補強シールの穴部内に前記ベースのガイド突部を入れ込ませながら、この補強シールを前記アームの押圧筒部によって下方に抜け出させ、前記シート体に貼り込ませることができる。
【００１２】
また、請求項２記載の発明にあっては、請求項１記載の補強シールの貼り付け装置がさらに、前記ベースの後端側であって当該ベースの下部に、補強シールが剥がされた状態で送りローラーによって送り出されてくる剥離テープの引き出しスリットが形成してあると共に、このスリットからの当該剥離テープの引き出し部分を切断させる切断手段を備えている構成とした。
【００１３】
かかる構成によれば、前記スリットからの前記剥離テープの引き出し部分を、適宜容易に切断することができる。
【００１４】
【発明の実施の形態】
以下、図１ないし図１９に基づいて、この発明の典型的な実施の形態について説明する。
【００１５】
なお、ここで図１は、この実施の形態にかかる貼り付け装置の機能を理解しやすいように、当該装置に装填されるテープロール３００、当該テープロール３００から剥離テープ３０１を順次引き出すように回転される送りローラー３２、この剥離テープ３０１から剥がし出された補強シール２００をシート体１００に貼り込ませるように協働するベース１のガイド突部１５とアーム２の押圧筒部２６、かかる補強シール２００の貼り込まれるシート体１００をそれぞれ、斜視の状態で表しており、同図における左側において剥離テープ３０１を屈曲するように当該剥離テープ３０１を順次に引き出すことにより、当該剥離テープ３０１に粘着面を粘着させて当該剥離テープ３０１に貼着されていた前記補強シール２００が剥がし出され、このように剥がし出された補強シール２００の粘着面を同図の下方、つまり、前記シート体１００の一面に向けるようにした状態で、前記ガイド突部１５と押圧筒部２６とによって当該補強シール２００が前記粘着面によって前記シート体１００に貼り込まれる。図２は、かかる補強シール２００を貼り込まれた前記シート体１００の要部を斜視の状態で示している。
【００１６】
また、図３ないし図５はそれぞれ、かかる貼り付け装置の外部構成を示している。また、図６および図１０は、かかる装置を、当該装置を構成するベース１の上部側から見た状態で、アーム２を省略して示しており、特に図１０は、かかるベース１の内部空間１１に装填されるカセット３を取り外した状態で当該ベース１を表している。
【００１７】
また、図７ないし図９は、かかる装置を断面にして表しており、特に、図７は、前記アーム２を開きだして、前記ベース１に装填されたカセット３の取り外しを可能とした状態を、また、図８は、かかるアーム２を押し込み操作して、かかるアーム２の前端とベース１の前端との間に挟み込んだ前記シート体１００に対し前記カセット３の保持枠３３に保持された補強シール２００を当該保持枠３３より抜け出させて貼り込ませるようにする動作状態を、また、図９は、かかるアーム２を押し込み操作しない状態を、それぞれ示している。
【００１８】
また、図１１は、前記カセット３の要部を横断面にして、また、図１２ないし図１４は、かかるカセット３を縦断面にして示しており、特に、図１２は、前記ベース１から取り外したカセット３の保持部２９にテープロール３００を保持させた状態を、また、図１３は、このように保持部２９に保持させたテープロール３００から引き出した剥離テープ３０１をスライド体４０を後述する離隔位置まで移動させて、当該スライド体４０に設けたテンションバー３９と前記送りローラー３２との間に通した状態を、また、図１４は、図１３の状態から当該スライド体４０を復動させて当該テンションバー３９によって当該剥離テープ３０１を前記送りローラー３２の外周部３２ｂに押し付けさせるようにしたセット状態を、それぞれ示している。
【００１９】
また、図１５および図１６は、前記カセット３を構成する主要部を、また、図１７および図１８は、当該カセット３を構成するスライド体４０を、それぞれ表している。さらに、図１９は、図１ないし図１８に示される例と、前記カセット３のベース１に対する組み付け支持の構造を異ならせた構成例の概要を示している。
【００２０】
この実施の形態にかかる補強シール２００の貼り付け装置は、紙などのシート体１００に設けられる当該シート体１００の綴り込み用のパンチ穴１０１を補強するために当該シート体１００に貼り込まれるリング状をなす補強シール２００（パッチなどと称される。）を、当該補強シール２００の穴部を前記パンチ穴１０１に連通させた状態で、当該シート体１００に適切に貼り込ませるために用いられるものである。
【００２１】
具体的には、この実施の形態にかかる装置は、一面に前記補強シール２００を等間隔に貼着していると共に、この補強シール２００の穴部２０１に連通する透孔３０２を有した剥離テープ３０１を巻回させてなるテープロール３００から当該剥離テープ３０１を順次引き出させながら、この剥離テープ３０１から順次に剥がれ出される前記補強シール２００を前記シート体１００に対し前記のように貼り込むものである。
【００２２】
この実施の形態にあっては、かかるテープロール３００は、前記補強シール２００の貼り込まれた面を内側に向けるようにして前記剥離テープ３０１を巻き芯３０３に巻回して構成されている。そして、図１に示されるように、この剥離テープ３０１における補強シール２００の貼り込まれた面を上側に向けるようにして、前記テープロール３００から当該剥離テープ３０１が引き出されるようにしてある。
【００２３】
かかる装置は、ベース１と、アーム２と、カセット３とを備えている。
かかるベース１に対し、前記アーム２は、当該ベース１の後端側に配された回動軸１０に当該アーム２の後端側を回動可能に組み付けて、組み付け合わされている。
【００２４】
また、かかるベース１に対し前記カセット３は、当該カセット３の後端側に設けられた軸受凹部２８を前記回動軸１０に取り外し可能にはめ付けて、当該ベース１と前記アーム２との間に装填される構成とされている。
【００２５】
具体的には、この実施の形態にあっては、前記ベース１は、前記カセット３を装填する当該ベース１の上部（前記アーム２に向かい合う側）側において開放された内部空間１１を備えた細長いケース状体として構成してある。すなわち、かかるベース１体は、一対の長さ側側板１２、１２と一対の幅側側板１３、１３及び底板１４を備えている。
【００２６】
また、前記アーム２は、当該アーム２の下部（前記ベース１に向かい合う側）側において開放された細長いケース状体として構成してある。すなわち、かかるアーム２は、一対の長さ側側板２２、２２と一対の幅側側板２３、２３及び上板２４を備えている。
【００２７】
この実施の形態にあっては、かかるアーム２を構成する一対の長さ側側板２３、２３の内面間に、前記ベース１が、当該ベース１の長さ側側板１２の外面を当該アーム２の長さ側側板２３の内面に向き合わせた状態で納まるように構成されており、当該ベース１およびアーム２における前記後端側となるの長さ方向にある一端側において、かかるベース１の一対の長さ側側板１２、１２間に亘り、かつ、両軸端をそれぞれ当該ベース１の長さ側側板１２、１２の外面から突き出させた前記回動軸１０の当該軸端を前記アーム２の長さ側側板２２に形成された軸穴２５に納めることにより、当該ベース１に対して当該アーム２を回動可能に組み付けている。
【００２８】
また、前記ベース１は、当該ベース１の前端側の上部に、前記シート体１００に設けられたパンチ穴１０１に入れ込まれるガイド突部１５を備えている。
【００２９】
また、前記アーム２は、当該アーム２の前端側の下部に、当該アーム２の押し込み操作に伴って前記ベース１に設けられたガイド突部１５が入り込む押圧筒部２６を備えている。
【００３０】
そして、この実施の形態にあっては、前記ベース１の前記ガイド突部１５が設けられた前端と前記回動軸１０との間にある前記内部空間１１に前記カセット３が装填されるようにしてある。
【００３１】
かかるカセット３は、この実施の形態にあっては、
（１）前記テープロール３００を回転可能に保持する保持部２９と、
（２）この保持部２９に保持されたテープロール３００から引き出された前記剥離テープ３０１を案内する上面案内部３０と、
（３）この上面案内部３０を案内される前記剥離テープ３０１を、当該カセット３の前端側で屈曲させて下方に導く突出案内部３１と、
（４）この突出案内部３１の下方に導かれた前記剥離テープ３０１の前記透孔３０２に入り込む複数の突出部３２ａ、３２ａ…を前記剥離テープ３０１の隣り合う透孔３０２間の間隔に対応したピッチで外周部３２ｂに備えると共に、一側面部にラチェットギア３２ｃを備えた送りローラー３２と、
（５）前記突出案内部３１による前記剥離テープ３０１の屈曲によって当該剥離テープ３０１から剥がれ出す前記補強シール２００を前記ベース１の前端部の直上に保持すると共に、前記アーム２の押し込み操作に伴って前記保持された当該補強シール２００を当該補強シール２００の穴部２０１に前記ガイド突部１５を入り込ませた状態で当該アーム２の押圧筒部２６によって下方に抜け出させる保持枠３３とを備えている。
【００３２】
具体的には、この実施の形態にあっては、かかるカセット３は、装填される前記ベース１の長さ方向に沿って長く延びる一対の側板３４、３４を備えている。かかるカセット３の一対の側板３４、３４の外面間の寸法は、かかるベース１の一対の長さ側側板１２、１２の内面間の間隔よりもやや狭くなるように構成されており、かかるカセット３はこの側板３４の外面を当該ベース１の長さ側側板１２の内面に向き合わせた状態で、当該ベース１の前記内部空間１１内に当該ベース１の上部から装填されるものとされている。
【００３３】
また、このように装填可能とされるかかるカセット３の後端であって、その上部には、前記側板３４の上下方向にある縁部において外方に開放された軸受凹部２８が形成されており、かかるカセット３は、この軸受凹部２８に前記ベース１の後端側において当該ベース１を構成する一対の長さ側側板１２、１２間に亘るように備えられた前記回動軸１０を入れ込ませた状態で当該ベース１の前記内部空間１１に装填されるものとされ、このように装填されたカセット３は当該回動軸１０を中心に当該カセット３の前端側を上下に振り動かすことが可能な状態で当該ベース１と前記アーム２との間に配される。なお、図１９に示されるように、前記回動軸１０の上方であって、当該ベース１の前端側にやや近付いた位置に当該ベース１を構成する一対の長さ側側板１２、１２間に亘るように備えられたカセット用回動軸１０’を別途設け、前記軸受凹部２８にこのカセット用回動軸１０’を入れ込ませるようにして当該ベース１の前記内部空間１１にカセット３を装填するようにしてあっても良い。
【００３４】
また、かかるカセット３は、その後端側に前記保持部２９を備えている。この保持部２９はかかるカセット３の上部側において開放されており、このカセット３の上部側から当該保持部２９に前記テープロール３００を、当該テープロール３００が前記回動軸１０と同じ向きに回転軸線を配して回転される状態で装填できるようにしてある。
【００３５】
具体的には、この実施の形態にあっては、かかる保持部２９の形成位置にある前記カセット３の一対の側板３４、３４にそれぞれ、当該カセット３の上部側にある当該側板３４の縁部において外方に開放され、かつ、当該側板３４の下部側に向けて延びる二条の割溝３５、３５によって当該カセット３の下部側を中心として弾性変形可能な弾性片３６が形成してある。そして、かかる弾性片３６における前記カセット３の保持部２９の内方に向けられた側に、当該保持部２９への前記テープロール３００の入れ込みに伴って当該テープロール３００の端面に突き当てられて一旦前記弾性片３６を外向きに撓み出させると共に、当該保持部２９に当該テープロール３００を入れ込みきった位置での当該弾性片３６の弾性復帰により当該テープロール３００を構成する筒状をなす巻き芯３０３内に入り込んで、当該テープロール３００を回転可能に支持する突部３６ａを形成させている。これにより、この実施の形態にあっては、前記カセット３の保持部２９に当該カセット３の上部側からワンタッチで前記テープロール３００を入れ込み当該テープロール３００を回転可能に保持させることができ、また、このように保持されたテープロール３００の剥離テープ３０１が引き出しきられた場合には、前記弾性片３６の上端の上方において前記側板３４に形成された把持用開放部３４ａを通じて当該テープロール３００を把持して上方に引っ張ることにより、当該テープロール３００の巻き芯３０３内から前記突部３６ａを抜き出させるように当該弾性片３６を外向きに撓み出させて、かかる保持部２９からワンタッチで当該剥離テープ３０１が引き出しきられたテープロール３００ないしは巻き芯３０３を取り出すことができ、新しいテープロール３００と容易に交換することができる。
【００３６】
また、かかるカセット３は、前記保持部２９と当該カセット３の前端との間に、前記送りローラー３２を、前記回動軸１０と同じ向きに当該送りローラー３２の回転軸線を配するようにして、回転可能に備えている。
【００３７】
かかる送りローラー３２は、前記カセット３を構成する一対の側板３４、３４間に回転可能に納められていると共に、その一方の側面部にラチェットギア状をなす回り止め部３２ｆを有し、さらに、この一方の側面部に向き合った当該一対の側板３４、３４の一方の外側に備えられたラチェットギア３２ｃをその回転軸上に備えている。
【００３８】
そして、この実施の形態にあっては、前記アーム２の押し込み操作に伴って前記ベース１に組み付けられた後述するラチェットレバー１７と前記ラチェットギア３２ｃとにより、当該アーム２を一回操作する毎に、前記送りローラー３２が一ピッチ分づつ、図７における反時計回りに回動される構成とされている。
【００３９】
また、この実施の形態にあっては、前記カセット３には、前記送りローラー３２における前記回り止め部３２ｆに対し、図８における時計回りの方向へのこの送りローラー３２の回動を阻止するように、当該回り止め部３２ｆに掛合するラチェットピン３７が設けられており、前記アーム２の押し込み操作によって前記送りローラー３２が図８における反時計回りにのみ回動されるようにしてある。
【００４０】
また、この実施の形態にあっては、前記カセット３が、かかる送りローラー３２の上方に、このカセット３を構成する一対の側板３４、３４の内面間に亘り、かつ、前記保持部２９の側から当該カセット３の前端側に向けて続く上板３８を備えており、この保持部２９に前記のように保持されるテープロール３００から引き出される剥離テープ３０１が当該上板３８の上面に案内されて当該カセット３の前端側に引き出されるようにしてある。すなわち、この実施の形態にあっては、かかるカセット３の上板３８の上面が特許請求の範囲にいう上面案内部３０とされている。
【００４１】
また、この実施の形態にあっては、かかる上面案内部３０によって案内された前記剥離テープ３０１は、前記カセット３の前端側において、この前端側にある前記上板３８の端部３８ａによって屈曲され、この上板３８の下方に導かれるようにしてある。すなわち、この実施の形態にあっては、かかるカセット３の前端側にある前記上板３８の端部３８ａが特許請求の範囲にいう突出案内部３１として機能されるようにしてある。
【００４２】
また、この実施の形態にあっては、前記カセット３がその前端側に、前記突出案内部３１との間に、前記アーム２の押し込み操作に伴って上方より当該アーム２の前記押圧筒部２６が入り込み、かつ、下方により前記ベース１のガイド突部１５が入り込む空間を形成させる保持枠３３を備えている。
【００４３】
かかる保持枠３３は、この実施の形態にあっては、前記突出案内部３１の側を屈曲内側とするように屈曲された板状に構成されている。
【００４４】
また、かかる保持枠３３の内側であって、この保持枠３３における前記空間を挟んだ両側にはそれぞれ、横向きに板面を配した保持板３３ａが設けられており、一対のこの保持板３３ａ、３３ａ間の間隔が前記剥離テープ３０１に貼着された前記補強シール２００の外径よりもやや狭くなるようにしてある。
【００４５】
また、この実施の形態にあっては、前記カセット３が、前記突出案内部３１によって屈曲されて前記上板３８の下方に導かれた前記剥離テープ３０１を、このカセット３の前端側にある前記送りローラー３２の外周部３２ｂに押し付けるように案内するテンションバー３９を前記上板３８の下方であって当該送りローラー３２の前方位置に備えている。
【００４６】
そして、この実施の形態にあっては、前記突出案内部３１によって屈曲されて前記上板３８の下方に導かれた前記剥離テープ３０１が、前記カセット３の下部側においては、かかるテンションバー３９と送りローラー３２との間を通じ前記保持部２９の底部の外面に沿って当該カセット３の後端側に導かれ、さらに、前記ベース１の後端側であって当該ベース１の下部に形成された引き出しスリット１６を通じて外方に引き出されるようにしてある。
【００４７】
また、この実施の形態にあっては、前記テンションバー３９によって、前記突出案内部３１によって屈曲されて前記上板３８の下方に導かれた前記剥離テープ３０１に形成された前記透孔３０２に、前記送りローラー３２における前記カセット３の前端側にある前記突出部３２ａを当該送りローラー３２の回転に伴って順次に入り込ませるようにしてあり、このように当該透孔３０２に突出部３２ａを順次に入り込ませる当該送りローラー３２の回転によって、前記保持部２９に保持されたテープロール３００から順次に剥離テープ３０１が引き出され、前記上面案内部３０、突出案内部３１、テンションバー３９および前記カセット３の底部を通って、前記引き出しスリット１６から外方に当該剥離テープ３０１が順次に送り出されるようにしてある。
【００４８】
また、前記ベース１には、このベース１への前記カセット３の装填に伴って前記送りローラー３２のラチェットギア３２ｃに掛合されると共に、前記アーム２の押し込み操作に伴って、当該送りローラー３２を一ピッチ分づつ回転させるラチェットレバー１７が備えられている。
【００４９】
この実施の形態にあっては、かかるラチェットレバー１７は、前記ベース１の内部空間１１を構成する当該ベース１の一対の長さ側側板１２、１２の一方の内面と、この内部空間１１に装填される前記カセット３を構成する一対の側板３４、３４のうち前記ラチェットギア３２ｃを外面側に配した側板３４の当該外面との間に納まる厚さを持った板状に構成されており、その上端を当該カセット３の装填に伴って前記ラチェットギア３２ｃに掛合させる先端１７ａとするように、その下端側を当該ベース１の下部に回動可能に組み付けた構成のものとしてある。
【００５０】
また、かかるラチェットレバー１７は、当該ラチェットレバー１７の回動軸１７ｂを挟んだ前記ベース１の前端側に前記先端１７ａを位置させると共に、当該ベース１の後端側に当該ベース１の下部に突き出し端を支持された弾性片部１７ｃを一体に備えている。
【００５１】
そして、この実施の形態にあっては、
（１）かかるラチェットレバー１７がその先端を、前記ラチェットギア３２ｃの歯３２ｄの一つ（先順位の歯３２ｄ）に対し、当該ラチェットギア３２ｃの回転軸を挟んだ前記ベース１の後端側であって、当該ラチェットギア３２ｃの下方から掛合されるようにしてあり、
（２）前記アーム２の押し込み操作に連動して前記カセット３が下方に移動されることに伴って、当該ラチェットレバー１７が前記弾性片部１７ｃを弾性変形させながら下方に回動されると共に、
（３）このラチェットレバー１７の先端１７ａが前記ラチェットギア３２ｃの隣り合う歯３２ｄ、３２ｄ（前記押し込み動作前に当該先端が掛合していた前記先順位の歯３２ｄとこれに隣り合う次順位の歯３２ｄ）間の斜面３２ｅに摺接して、かかるラチェットギア３２ｃを回動させるようにしてある。
（４）また、前記アーム２の押し込み操作の解除により、後述するベース側バネ１８の作用により前記カセット３が上方に向けて移動されると、前記弾性片部１７ｃの弾性復帰によってかかるラチェットレバー１７が再び上方に回動され、このように上方に向けて回動されるラチェットレバー１７の先端１７ａが、前記次順位のラチェットギア３２ｃの歯３２ｄに掛合されるようにしてある。
【００５２】
すなわち、この実施の形態にあっては、前記アーム２の一回分の前記押し込み操作によって、当該ラチェットギア３２ｃが一ピッチ分回動されるようにしてある。
【００５３】
また、前記アーム２には、当該アーム２と前記ベース１との間に装填された前記カセット３の前端側の上部に先端を突き当てるアーム側バネ２７が設けられており、このアーム側バネ２７によってかかるアーム２を押し込み操作しない状態においては当該カセット３の前記保持枠３３内に当該アーム２の押圧筒部２６が入り込まないように、当該アーム２の下部とカセット３の上部との間に間隔が形成されるようにしてある。この実施の形態にあっては、かかるアーム側バネ２７は板バネとして構成されている。
【００５４】
また、前記ベース１には、当該ベース１と前記アーム２との間に装填された前記カセット３の長さ方向ほぼ中央部であってその下部を上方に持ち上げる向きに付勢するベース側バネ１８が設けられており、このベース側バネ１８によって前記アーム２を押し込み操作しない状態においては当該カセット３の前記保持枠３３内に当該ベース１のガイド突部１５が入り込まないように、当該ベース１の前端側の上部と当該カセット３の前端側の下部との間に間隔が形成されるようにしてある。この実施の形態にあっては、かかるベース側バネ１８は圧縮コイルバネとしてあり、前記ベース１の底部に上下動可能に組み付けられると共に、当該ベース側バネ１８によって常時上方に向けて付勢された押圧体１９を介して当該ベース側バネ１８によって前記カセット３を当該ベース１から離れる向きに付勢するようにしている。
【００５５】
また、この実施の形態にあっては、前記ベース側バネ１８の付勢力が前記アーム側バネ２７の付勢力より小さくなるように設定してある。
【００５６】
この結果、この実施の形態にあっては、前記シート体１００に設けたパンチ穴１０１に前記ベース１のガイド突部１５を入れ込んで前記アーム２を押し込み操作することより、
（１）先ず、前記ベース１のベース側バネ１８を撓めさせて前記回動軸１０を中心として前記カセット３を下方に回動させることができると共に、前記ラチェットギア３２ｃによって前記送りローラー３２を図７における反時計回りの向きに一ピッチ分回動させることができる。
（２）そして、この送りローラー３２の回動によって、前記テープロール３００から一ピッチ分（前記剥離シートの隣り合う透孔３０２間の間隔分）の剥離シートを引き出すことができると共に、前記上面案内部３０に案内されている剥離シートにおける最も先順位の補強シール２００が貼り込まれている箇所を前記突出案内部３１に移動させて当該突出案内部３１により屈曲させることができ、この屈曲によって当該補強シール２００を当該剥離シートから剥がし出させて前記保持枠３３内に入り込ませることができる。
（３）そして、この後さらに前記アーム２を押し込み操作させることにより、前記回動軸１０を中心として前記カセット３をさらに下方に回動させることができると共に、前記アーム側バネ２７を撓み込ませて当該回動軸１０を中心として当該アーム２を下方に回動させることができ、前記剥離テープ３０１から剥がし出されて前記保持枠３３内に保持された前記補強シール２００の穴部２０１内に前記ベース１のガイド突部１５を入れ込ませながら、この補強シール２００を前記アーム２の押圧筒部２６によって下方に抜け出させ、前記シート体１００に貼り込ませることができる。（図８の状態）
【００５７】
また、この実施の形態にあっては、前記保持枠３３が、当該保持枠３３の前端内面３３ｂを前記突出案内部３１から離れ出させる向きに離隔移動可能に備えられたスライド体４０に形成してあると共に、このスライド体４０の下部に当該スライド体４０を当該離隔移動させた状態で当該突出案内部３１の前方を通して下方に引き出された前記剥離テープ３０１を当該スライド体４０の復動操作によって前記送りローラー３２の外周部３２ｂに押し付けさせる前記テンションバー３９を備えさせている。
【００５８】
この実施の形態にあっては、かかるスライド体４０は、一端側を湾曲連接部４０ａによって相互に連接された一対のプレート体４０ｂ、４０ｂとして構成されている。
【００５９】
そして、かかる一対のプレート体４０ｂ、４０ｂの内面間に、このプレート体４０ｂの内面に前記カセット３を構成する側板３４の外面を向き合わせるようにして、当該カセット３の前端側が納まるようにしてある。
【００６０】
また、かかるカセット３の前端側にある前記一対の側板３４，３４の外面にはそれぞれ、当該側板の長さ方向に沿った上部リブ４１と、この上部リブ４１との間にガイド隙間４３を開けて当該上部リブ４１と平行に延びる下部リブ４２とが形成してあると共に、前記一対のプレート体４０ｂ、４０ｂの内側にはそれぞれ、かかるガイド隙間４３にほぼ密に入り込むガイドリブ４０ｃが形成されている。
【００６１】
そして、前記スライド体４０は、前記一対のプレート体４０ｂ、４０ｂの内面間に前記湾曲連接部４０ａの側と反対の側から前記カセット３の前端側を、前記ガイド隙間４３に前記ガイドリブ４０ｃを入れ込ませた状態で納めさせて、当該カセット３に組み付けられるようにしてあり、このように組み付けられた当該スライド体４０の前記湾曲連接部４０ａ側が前記保持枠３３となるようにしてあると共に、前記ガイド隙間４３による前記ガイドリブ４０ｃの案内によって当該保持枠３３の前端内面３３ｂを前記突出案内部３１に最も近づけた基準位置（図１２及び図１４の位置）から最も離れ出させた離隔位置（図１３の位置）までの間で、スライド移動操作できるようにしてある。
【００６２】
また、この実施の形態にあっては、かかるスライド体４０を構成する一対のプレート体４０ｂ、４０ｂの間に、当該スライド体４０のスライド移動方向ほぼ中程の位置であってその下部側に、前記テンションバー３９を架設させている。
【００６３】
そして、この実施の形態にあっては、前記基準位置において、かかるテンションバー３９をはまり込ませる凹部４４が前記カセット３を構成する一対の側板３４、３４における当該カセット３の前端側にある縁部に形成してあると共に、この凹部４４にテンションバー３９をはまり込ませた状態において、当該テンションバー３９によって前記突出案内部３１の前方を通して下方に引き出された前記剥離テープ３０１が前記送りローラー３２の外周部３２ｂに押し付けられるようにしてある。
【００６４】
これにより、この実施の形態にあっては、前記剥離テープ３０１が引き出しきられたテープロール３００を前記カセット３の保持部２９から取り出し、当該保持部２９に新しいテープロール３００を装填した後、このように装填された新しいテープロール３００から引き出した剥離テープ３０１を、前記スライド体４０を前記離隔位置にスライド移動させることにより当該スライド体４０に設けられた前記テンションバー３９と前記送りローラー３２との間の間隔を広げて両者の間に容易に通すことができ、この後、当該スライド体４０を前記基準位置に復動操作することにより、このように通された剥離テープ３０１を当該テンションバー３９によって当該送りローラー３２の外周部３２ｂに対し、当該送りローラー３２の回転によって当該剥離テープ３０１の透孔３０２に順次に当該送りローラー３２の外周部３２ｂに設けた突出部３２ａが入り込むように、押し付けさせることができる。
【００６５】
なお、この実施の形態にあっては、前記上部リブ４１における前記カセット３の後端側に向けられた端部に位置決め突部４１ａが形成してあると共に、前記スライド体４０における前記ガイドリブ４０ｃの両端側にある当該スライド体４０を構成する一対のプレート体４０ｂ、４０ｂの内面部に、当該スライド体４０における前記基準位置と前記離隔位置とにおいてそれぞれ、前記位置決め突部４１ａを弾性的に入り込ませて当該位置決め突部４１ａに掛合する位置決め凹部４０ｄが形成してあり、この掛合によって当該スライド体４０を前記基準位置と離隔位置とにおいて安定的に位置づけることができるようにしてある。
【００６６】
また、この実施の形態にあっては、前記ベース１の後端側であって当該ベース１の下部に、補強シール２００が剥がされた状態で送りローラー３２によって送り出されてくる剥離テープ３０１の引き出しスリット１６が形成してあると共に、このスリット１６からの当該剥離テープ３０１の引き出し部分を切断させる切断手段２０が備えられている。
【００６７】
この実施の形態にあっては、前記ベース１の下部であって、前記回動軸１０のほぼ直下位置に、かかるスリット１６が設けられている。
【００６８】
また、この実施の形態にあっては、かかるベース１の内底部に、当該ベース１の前端側から後端側に向けてスライド移動操作可能に組み付けられると共に、この後端側に向けられた端部に鋸歯状をなす前記剥離テープ３０１の切断刃２０ａを備えたスライドプレート２０ｂが備えられている。
【００６９】
具体的には、この実施の形態にあっては、前記ベース１の下部に当該ベース１の長さ方向に沿った長穴２１が開設されており、前記スライドプレート２０ｂはこの長穴２１に当該スライドプレート２０ｂの下面側に設けた操作突起２０ｃを入り込ませた状態で、当該ベース１に対しスライド移動可能に組み付けられている。
【００７０】
そして、この実施の形態にあっては、かかる長穴２１における前記ベース１の前端側に向けられた穴端に前記操作突起２０ｃを突き当てる後退位置から、当該長穴２１における当該ベース１の後端側に向けられた穴端に当該操作突起２０ｃを突き当てる前進位置まで、当該長穴２１を通じた当該操作突起２０ｃを操作によって前記スライドプレート２０ｂをスライド移動させることができるようにしてあると共に、かかる前進位置において前記スリット１６内に当該スライドプレート２０ｂにおける前記切断刃２０ａが設けられた側の端部が入り込むようにしてある。（図８、当該前進位置にあるスライドプレート２０ｂの輪郭を想像線で示す。）すなわち、この実施の形態にあっては、かかるスライドプレート２０ｂの切断刃２０ａが前記切断手段２０とされている。
【００７１】
この結果、この実施の形態にあっては、前記スリット１６からの前記剥離テープ３０１の引き出し部分を前記スライドプレート２０ｂを前記前進位置に移動させることにより、適宜容易に切断することができる。
【００７２】
【発明の効果】
この発明にかかる補強シールの貼り付け装置によれば、かかる装置を構成するカセットに装填されるテープロールであって、シート体に設けられたパンチ穴を補強するように当該シート体に貼り付けられる補強シールの貼着された剥離テープを巻回させて構成されるテープロールの、交換ないし再装填を、容易かつ適切になすことができる。
【図面の簡単な説明】
【図１】テープロール３００、送りローラー３２、ベース１のガイド突部１５とアーム２の押圧筒部２６、補強シール２００の貼り込まれるシート体１００をそれぞれ、斜視の状態で表した構成図
【図２】補強シール２００を貼り込まれた前記シート体１００の要部斜視図
【図３】貼り付け装置の外部構成を示す側面図
【図４】貼り付け装置の外部構成を示す側面図（ア−ム２の押し込み状態）
【図５】貼り付け装置の外部構成を示す底面図
【図６】貼り付け装置を構成するベース１を、アーム２を省略して示した平面構成図
【図７】貼り付け装置の断面構成図（図６におけるＡ−Ａ線相当位置／アーム２の開きだし状態）
【図８】貼り付け装置の断面構成図（図６におけるＢ−Ｂ線相当位置／アーム２の押し込み状態）
【図９】貼り付け装置の断面構成図（図６におけるＣ−Ｃ線相当位置）
【図１０】貼り付け装置を構成するベース１を、当該ベース１の内部空間１１に装填されるカセット３を取り外した状態において、アーム２を省略して示した平面構成図
【図１１】カセット３の要部横断面図
【図１２】カセット３の縦断面構成図
【図１３】カセット３の縦断面構成図
【図１４】カセット３の縦断面構成図
【図１５】カセット３を構成部材の側面構成図
【図１６】カセット３を構成部材の平面構成図
【図１７】カセット３を構成するスライド体４０の平面構成図
【図１８】カセット３を構成するスライド体４０の断面構成図（図１７におけるＤ−Ｄ線相当位置）
【図１９】図１ないし図１８に示される例と、カセット３のベース１に対する組み付け支持の構造を異ならせた構成例の概要を示す断面構成図
【符号の説明】
１００  シート体
１０１  パンチ穴
２００  補強シール
２０１  穴部
３００  テープロール
３０１  剥離テープ
３０２  透孔
１  ベース
２  アーム
３  カセット
１０  回動軸
１５  ガイド突部
１７  ラチェットレバー
２６  押圧筒部
２８  軸受凹部
２９  保持部
３０  上面案内部
３１  突出案内部
３２  送りローラー
３２ａ  突出部
３２ｂ  外周部
３２ｃ  ラチェットギア
３３  保持枠
３９  テンションバー
４０  スライド体
【図１】
0003602064.tif 000002
【図２】
0003602064.tif 000003
【図３】
0003602064.tif 000004
【図４】
0003602064.tif 000005
【図５】
0003602064.tif 000006
【図６】
0003602064.tif 000007
【図７】
0003602064.tif 000008
【図８】
0003602064.tif 000009
【図９】
0003602064.tif 000010
【図１０】
0003602064.tif 000011
【図１１】
0003602064.tif 000012
【図１２】
0003602064.tif 000013
【図１３】
0003602064.tif 000014
【図１４】
0003602064.tif 000015
【図１５】
0003602064.tif 000016
【図１６】
0003602064.tif 000017
【図１７】
0003602064.tif 000018
【図１８】
0003602064.tif 000019
【図１９】
0003602064.tif 000020